(57)【特許請求の範囲】
【請求項１】
源泉から導かれる温泉水を６０℃以上に加熱してレジオネラ属菌を殺菌するヒートポンプを備えている温泉水殺菌装置と、
前記ヒートポンプによって加熱された温泉水を貯留する貯湯槽と、
を備えた温泉水供給システムにおいて、
前記貯湯槽には、６０℃未満の温泉水が源泉から供給され、
前記ヒートポンプの吸熱によって、源泉から供給された６０℃以上の温泉水が冷却される冷泉槽と、
前記貯湯槽および前記冷泉槽から導かれた温泉水を混合して配湯用の温泉水を貯留する配湯槽と、
を備えていることを特徴とする温泉水供給システム。
【請求項２】
ヒートポンプによって、源泉から導かれる温泉水を６０℃以上に加熱してレジオネラ属菌を殺菌する温泉水殺菌方法によって加熱された温泉水を貯湯槽に貯留し、
該貯湯槽に貯留された温泉水を用いて配湯温度を調整し、利用側に温泉水を供給する温泉水供給方法において、
前記貯湯槽には、６０℃未満の温泉水が源泉から供給され、
前記ヒートポンプの吸熱によって、源泉から供給された６０℃以上の温泉水を冷泉槽で冷却し、
前記貯湯槽および前記冷泉槽から導かれた温泉水を混合して配湯用の温泉水を配湯槽に貯留し、
該配湯槽から利用側に温泉水を供給することを特徴とする温泉水供給方法。
【発明の詳細な説明】
【技術分野】
【０００１】
本発明は、温泉水供給システムおよび温泉水供給方法に関するものである。
【背景技術】
【０００２】
源泉から得られる温泉水にはレジオネラ属菌は殆ど生息していないが、レジオネラ属菌に汚染された地下水等が温泉水に混入した場合、レジオネラ属菌に汚染されるおそれがある。そして、温泉水温度が６０℃を下回る場合には、レジオネラ属菌は死滅せず、繁殖してしまう。そこで、温泉水に存在するおそれのあるレジオネラ属菌を殺菌する必要がある。
レジオネラ属菌の殺菌方法としては、塩素を添加して殺菌する方法が知られている。しかし、臭い等の理由により温泉利用者の不評につながるので有効な対策とはいえない。
【０００３】
一方、下記特許文献１及び特許文献２には、温泉の浴槽内の温泉水温度を加熱して調整するためにヒートポンプを用いた事例が開示されている。
【先行技術文献】
【特許文献】
【０００４】
【特許文献１】特開２０１０−６０１８５号公報
【特許文献２】特開昭６０−１１４６５４号公報
【発明の概要】
【発明が解決しようとする課題】
【０００５】
上記の各特許文献のように、温泉水の加熱のためにヒートポンプを利用することは、ボイラ等に比べてＣＯ２の排出が少なく高効率となるので好ましい。しかし、ヒートポンプによる温泉水の加熱温度は、浴湯に適した温度が前提とされており、せいぜい４３℃程度である。レジオネラ属菌の死滅温度は、上述のように６０℃以上とされているので、この程度の温度ではレジオネラ属菌を殺菌することはできない。そこで、上記特許文献１では、濾過装置によってレジオネラ属菌の殺菌処理を行っている。これでは、濾過装置が別途必要となり、コストの増大を招いてしまう。
【０００６】
本発明は、このような事情に鑑みてなされたものであって、塩素を用いず、かつ、濾過装置を用いることなくレジオネラ属菌を殺菌することができる温泉水供給システムおよび温泉水供給方法を提供することを目的とする。
【課題を解決するための手段】
【０００７】
上記課題を解決するために、本発明の温泉水供給システムおよび温泉水供給方法は以下の手段を採用する。
すなわち、本発明にかかる参考例としての温泉水殺菌装置は、源泉から導かれる温泉水を６０℃以上に加熱してレジオネラ属菌を殺菌するヒートポンプを備えていることを特徴とする。
【０００８】
レジオネラ属菌は６０℃以上に加熱すると死滅する。そこで、源泉から導かれる温泉水をヒートポンプによって６０℃以上に加熱してレジオネラ属菌を殺菌することとした。ヒートポンプによって加熱して殺菌するので、塩素殺菌を用いる必要がなく、また濾過装置を用いる必要がない。また、温泉水をヒートポンプによって６０℃まで加熱するので、化石燃料を使用したボイラによる殺菌に比べて、ＣＯ２を排出せず、また高効率に加熱することができる。
ヒートポンプの熱源としては、例えば１０℃以上であれば種々のものが使用でき、河川水、排水、未使用源泉等の従来では単に捨てていた未使用排熱を利用することができる。
ヒートポンプとしては、典型的には、ターボ圧縮機を用いたターボ冷凍機が挙げられるが、スクリュー式やスクロール式の圧縮機を用いた他の蒸気圧縮式のヒートポンプでもよく、また、吸収式冷凍機等の他の形式であってもよい。
【０００９】
また、本発明の温泉水供給システムは、上述の温泉水殺菌装置と、前記ヒートポンプによって加熱された温泉水を貯留する貯湯槽とを備えていることを特徴とする。
【００１０】
温泉水殺菌装置のヒートポンプによって加熱された温泉水を貯湯槽に貯留することにより、６０℃以上の温泉水を確保することができる。これにより、温泉水の利用側に配湯する温泉水の配湯温度（例えば４７℃）よりも大きな温度差を有する温泉水を保有することができるので、有効熱容量（（貯湯温度−配湯温度）×貯湯量）を増大させることができる。
【００１１】
さらに、本発明の温泉水供給システムでは、前記貯湯槽には、６０℃未満の温泉水が源泉から供給され、前記ヒートポンプの吸熱によって、源泉から供給された６０℃以上の温泉水が冷却される冷泉槽と、前記貯湯槽および前記冷泉槽から導かれた温泉水を混合して配湯用の温泉水を貯留する配湯槽とを備えていることを特徴とする。
【００１２】
貯湯槽には、６０℃未満の温泉水を源泉から供給することとし、存在する可能性のあるレジオネラ属菌を加熱して殺菌する。これにより、貯湯槽には６０℃以上の高温の温泉水を貯留する。
一方、冷泉槽には、源泉から供給された６０℃以上の温泉水を貯留し、ヒートポンプの吸熱によって冷却することとした。６０℃以上の温泉水は、既にレジオネラ属菌が殺菌されているので、改めて加熱する必要がなく、そのまま冷却して冷泉水を作ることができる。また、ヒートポンプの吸熱によって冷却することとしているので、貯湯槽内の温泉水の加熱と同時に冷却が行われることとなり、冷泉水を作るための冷却設備や工程が別途必要となることはない。
そして、貯湯槽にて貯留された高温の温泉水と、冷泉槽にて貯留された低温の温泉水とを混合して貯留する配湯槽を設け、この配湯槽にて所望の温度の温泉水を得ることとした。このように、殺菌済みの有効な温泉水を用いて温度調整された温泉水を得ることができるので、温泉水ではない水道水等を用いて温度調整する場合に比べて、格段に泉質が向上する。
【００１３】
また、本発明の参考例としての温泉水殺菌方法は、ヒートポンプによって、源泉から導かれる温泉水を６０℃以上に加熱してレジオネラ属菌を殺菌することを特徴とする。
【００１４】
レジオネラ属菌は６０℃以上に加熱すると死滅する。そこで、源泉から導かれる温泉水をヒートポンプによって６０℃以上に加熱してレジオネラ属菌を殺菌することとした。ヒートポンプによって加熱して殺菌するので、塩素殺菌を用いる必要がなく、また濾過装置を用いる必要がない。また、温泉水をヒートポンプによって６０℃まで加熱するので、化石燃料を使用したボイラによる殺菌に比べて、ＣＯ２を排出せず、また高効率に加熱することができる。
ヒートポンプの熱源としては、例えば１０℃以上であれば種々のものが使用でき、河川水、排水、未使用源泉等の従来では単に捨てていた未使用排熱を利用することができる。
ヒートポンプとしては、典型的には、ターボ圧縮機を用いたターボ冷凍機が挙げられるが、スクリュー式やスクロール式の圧縮機を用いた他の蒸気圧縮式のヒートポンプでもよく、また、吸収式冷凍機等の他の形式であってもよい。
【００１５】
また、本発明の温泉水供給方法は、上述の温泉水殺菌方法によって加熱された温泉水を貯湯槽に貯留し、該貯湯槽に貯留された温泉水を用いて配湯温度を調整し、利用側に温泉水を供給することを特徴とする。
【００１６】
温泉水殺菌装置のヒートポンプによって加熱された温泉水を貯湯槽に貯留することにより、６０℃以上の温泉水を確保することができる。この６０℃以上の温泉水を用いて配湯温度を調整し、利用側に供給することとした。このように、温泉水の利用側に配湯する温泉水の配湯温度（例えば４７℃）よりも大きな温度差を有する温泉水を保有することができるので、有効熱容量（（貯湯温度−配湯温度）×貯湯量）を増大させることができる。
【００１７】
さらに、本発明の温泉水供給方法は、前記貯湯槽には、６０℃未満の温泉水が源泉から供給され、前記ヒートポンプの吸熱によって、源泉から供給された６０℃以上の温泉水を冷泉槽で冷却し、前記貯湯槽および前記冷泉槽から導かれた温泉水を混合して配湯用の温泉水を配湯槽に貯留し、該配湯槽から利用側に温泉水を供給することを特徴とする。
【００１８】
貯湯槽には、６０℃未満の温泉水を源泉から供給することとし、存在する可能性のあるレジオネラ属菌を加熱して殺菌する。これにより、貯湯槽には６０℃以上の高温の温泉水を貯留する。
一方、冷泉槽には、源泉から供給された６０℃以上の温泉水を貯留し、ヒートポンプの吸熱によって冷却することとした。６０℃以上の温泉水は、既にレジオネラ属菌が殺菌されているので、改めて加熱する必要がなく、そのまま冷却して冷泉水を作ることができる。また、ヒートポンプの吸熱によって冷却することとしているので、貯湯槽内の温泉水の加熱と同時に冷却が行われることとなり、冷泉水を作るための冷却設備や工程が別途必要となることはない。
そして、貯湯槽にて貯留された高温の温泉水と、冷泉槽にて貯留された低温の温泉水とを混合して貯留する配湯槽を設け、この配湯槽にて所望の温度の温泉水を得ることとした。このように、殺菌済みの有効な温泉水を用いて温度調整された温泉水を得ることができるので、温泉水ではない水道水等を用いて温度調整する場合に比べて、格段に泉質が向上する。
【発明の効果】
【００１９】
本発明によれば、ヒートポンプによって加熱してレジオネラ属菌を殺菌するので、塩素殺菌を用いる必要がなく、また濾過装置を用いる必要がない。また、温泉水をヒートポンプによって６０℃まで加熱するので、化石燃料を使用したボイラによる殺菌に比べて、ＣＯ２を排出せず、また高効率に加熱することができる。
【図面の簡単な説明】
【００２０】
【図１】本発明の参考例としての温泉水殺菌装置の一参考実施形態を示した概略構成図である。
【図２】本発明の温泉水供給システムの一実施形態を示した概略構成図である。
【発明を実施するための形態】
【００２１】
以下に、本発明にかかる実施形態について、図面を参照して説明する。
図１には、本発明の参考例としての温泉水殺菌装置の一参考実施形態が示されている。
温泉水殺菌装置１は、ヒートポンプ３と、加熱側温泉熱交換器５と、熱源側温泉熱交換器７とを備えている。
【００２２】
ヒートポンプ３は、ターボ冷凍機とされている。ターボ冷凍機は、図示しないが、冷媒を圧縮するターボ圧縮機と、ターボ圧縮機によって圧縮された冷媒を凝縮させる凝縮器と、凝縮された液冷媒を膨張させる膨張弁と、膨張された冷媒を蒸発させる蒸発器とを備えている。
なお、ヒートポンプ３としては、典型的には、本実施形態のようにターボ圧縮機を用いたターボ冷凍機が挙げられるが、スクリュー式やスクロール式の圧縮機を用いた他の蒸気圧縮式のヒートポンプでもよく、また、吸収式冷凍機等の他の形式であってもよい。
【００２３】
冷媒が凝縮器にて凝縮する際に放熱する凝縮熱によって、温水入口ノズル３ａから流入する温水を加熱する。加熱された温水は、温水出口ノズル３ｂから流出し、温水ポンプ９によって加熱側温泉熱交換器５へと導かれる。
温水出口ノズル３ｂから流出する温水の温度（すなわちヒートポンプ３の出力温水温度）は、加熱側温泉熱交換器７によって加熱される温泉水が６０℃以上となるように、例えば７０℃といったように設定される。
【００２４】
冷媒が蒸発器にて蒸発する際に吸熱する蒸発熱によって、冷水入口ノズル３ｃから流入する冷水を冷却する。冷却された冷水は、冷水出口ノズル３ｄから流出し、冷水ポンプ１１によって熱源側温泉熱交換器７へと導かれる。
【００２５】
加熱側温泉熱交換器５では、温泉水流入配管１３ａから導入される温泉水と、温水ポンプ９によって導入される温水とが熱交換される。この加熱側温泉熱交換器５によって、温泉水が６０℃以上（例えば６５℃）に加熱されて、レジオネラ属菌が殺菌される。殺菌後の温泉水は、温泉水流出配管１３ｂを通り、図示しない貯湯槽へと導かれ、貯留される。
【００２６】
熱源側温泉熱交換器７では、熱源水流入配管１５ａから導入される熱源水と、冷水ポンプ１１によって導入される冷水とが熱交換される。熱交換された熱源水は、熱源水流出配管１５ｂを通り排出される。熱源水としては、利用せずに放流していた温泉水を利用することができる。ただし、熱源水としては、例えば１０℃以上であれば種々のものが使用でき、河川水、排水等の従来では単に捨てていた未使用排熱を利用することができる。
【００２７】
以上の通り、本参考実施形態によれば、源泉から導かれる温泉水をヒートポンプ３によって６０℃以上に加熱してレジオネラ属菌を殺菌することとしたので、塩素殺菌を用いる必要がなく、また濾過装置を用いる必要がない。
また、温泉水をヒートポンプ３によって６０℃まで加熱するので、化石燃料を使用したボイラによる殺菌に比べて、ＣＯ２を排出せず、また高効率に加熱することができる。
また、本参考実施形態では、温泉熱交換器５，７を用いることとした。これは、温泉水に含まれる不純物等がスケールとなって熱交換器を詰まらせるおそれがあるので、メンテナンス等のために取り外し可能または交換可能とするためである。しかし、温泉水の泉質によってはスケールの発生のおそれがない場合があるので、このような場合には、温泉熱交換器５，７を省略して、温泉水流入配管１３ａ及び温泉水流出配管１３ｂを、それぞれ、温水入口ノズル３ａ及び温水出口ノズル３ｂに直接接続し、また、熱源水流入配管１５ａ及び熱源水流出配管１５ｂを、それぞれ、冷水入口ノズル３ｃ及び冷水出口ノズル３ｄに直接接続してもよい。
【００２８】
次に、本発明の一実施形態について、図２を用いて説明する。
本実施形態は、参考実施形態と同様に、ヒートポンプ３を用いて温泉水を加熱してレジオネラ属菌を殺菌する点で共通する。本実施形態は、このヒートポンプ３による殺菌方法を用いるとともに、温泉旅館等の利用側へ温泉水を供給する温泉水供給システムである。
【００２９】
図２に示されているように、温泉水供給システム１０は、ヒートポンプ３と、加熱殺菌された温泉水を貯留する貯湯槽１７と、ヒートポンプ３によって冷却された温泉水を貯留する冷泉槽１９と、貯湯槽１７及び冷泉槽１９から導かれた温泉水を混合して貯留する配湯槽２１とを備えている。
ヒートポンプ３は、参考実施形態と同様なので、その説明を省略する。
【００３０】
温泉地には、複数の源泉が存在し、それぞれの温度が異なる。本実施形態では、複数の源泉を適宜組み合わせ、６０℃未満の温泉水を得る低温源泉群と、６０℃以上の温泉水を得る高温源泉群とを形成する。もちろん、低温源泉群や高温源泉群は単一の源泉から構成されることもある。そして、低温源泉群は貯湯槽１７に供給し、高温源泉群からの温泉水は冷泉槽１９に供給する。
【００３１】
貯湯槽１７では、ヒートポンプ３によって例えば７０℃まで昇温された温水によって温泉水が６０℃以上（例えば６５℃）に加熱される。具体的には、温水ポンプ９によって温水が貯湯槽１７内に設置された加熱用伝熱管１７ａ内を通り、これにより、貯湯槽１７内の温泉水が加熱される。貯湯槽１７内の温泉水は、６０℃以上に加熱されてレジオネラ属菌が殺菌されるとともに、６０℃以上の高温を維持した状態で貯留される。
貯湯槽１７には、貯湯出力配管２３が設けられており、配湯槽２１に接続された合流配管２５へと貯湯槽１７内の温泉水を導く。貯湯出力配管２３には、流量制御弁２７が設けられており、合流配管２５を流れる温泉水温度および流量に基づいて所定の演算を行う第１制御部２９の指令によって開度が制御されるようになっている。
【００３２】
冷泉槽１９では、ヒートポンプ３によって例えば２０℃まで冷却された冷水によって温泉水が２６℃程度まで冷却される。具体的には、冷水ポンプ１１によって冷水が冷泉槽１９内に設置された冷却用伝熱管１９ａ内を通り、これにより、冷泉槽１９内の温泉水が冷却される。冷泉槽１９内の温泉水は、高温源泉群から供給された６０℃以上の温泉水を由来としているので、当初からレジオネラ属菌が殺菌されたものなので、殺菌のための加熱を必要としない。
冷泉槽１９には、冷泉出力配管３１が設けられており、合流配管２５へと冷泉槽１９内の温泉水を導く。冷泉出力配管３１には、流量制御弁３３が設けられており、第１制御部２９によって開度が制御されるようになっている。
冷泉槽１９には、放流弁２０が設けられており、第１制御部２９の指令および貯湯槽１７内の温泉水の温度に基づいて所定の演算を行う第２制御部２２によって、その開度が制御される。
【００３３】
配湯槽２１には、合流配管２５を介して、貯湯槽１７および冷泉槽１９から温泉水が導かれるようになっている。配湯槽２１では、温泉旅館等の利用側に供給する配湯温度（例えば４２℃）となるように調整された温泉水温度（例えば４６℃）の温泉水が貯留される。配湯槽２１には、水位計４７が設けられており、貯湯槽２１内の温泉水の水位が所定レベルに到達すると、配湯槽２１内で所定温度の温泉水を製造する制御を停止し、水位が所定レベルを下回ると当該制御を開始するようになっている。
配湯槽２１には、配湯配管３５が接続されており、配湯ポンプ３７によって所定量の温泉水が流されるようになっている。
【００３４】
配湯配管３５の下流側には、循環給湯を行うための戻り配管３９が接続されている。戻り配管３９は、貯湯槽１７内に設置された再加熱用伝熱管１７ｂに接続されており、戻り配管３９から導かれた温泉水が再加熱されるようになっている。再加熱用伝熱管１７ｂにて再加熱された温泉水は、三方弁４１を通過して配湯槽２１へと返送される。三方弁４１の開度は、配湯槽２１内の温泉水の温度に基づいて所定の演算を行う第３制御部４３の指令によって制御される。また、配湯配管３５に設けた配湯ポンプ３７は、配湯槽２１へと返送される温泉水の流量に基づいて所定の演算を行う第４制御部４５の出力に応じて、吐出流量が制御されるようになっている。
【００３５】
上記構成の温泉水供給システム１０は、以下のように用いられる。
６０℃未満の低温源泉群から供給された温泉水は、貯湯槽１７へと導かれ、貯湯槽１７内でヒートポンプ３によって６０℃以上に加熱される。これにより、温泉水内のレジオネラ属菌が殺菌される。
一方、６０℃以上の高温源泉群から供給された温泉水は、冷泉槽１９へと導かれ、冷泉槽１９内でヒートポンプ３によって冷却される。
以上のように製造された貯湯槽１７内の高温の温泉水と、冷泉槽１９内の低温の温泉水は、配湯槽２１へと導かれて混合される。この際に、合流配管２５を流れる温泉水の温度及び流量に基づいて第１制御部２９が所定の演算を行い、所望の温度が得られるように、貯湯槽１７側の流量制御弁２７と冷泉槽１９側の流量制御弁３３の開度を決定する。すなわち、貯湯槽１７内の高温の温泉水と冷泉槽１９内の低温の温泉水との流量比を適宜変更して、所望温度の温泉水を得られるように制御する。
配湯槽２１内に貯留された温泉水は、配湯配管３５を通り、配湯ポンプ３７によって利用側へと供給される。
【００３６】
以上の通り、本実施形態によれば、参考実施形態の作用効果に加えて、以下の作用効果を奏する。
ヒートポンプ３によって加熱された温泉水を貯湯槽１７に貯留することにより、６０℃以上の温泉水を確保することができる。これにより、温泉水の利用側に配湯する温泉水の配湯温度（例えば４３℃）よりも大きな温度差を有する温泉水を保有することができるので、有効熱容量（（貯湯温度−配湯温度）×貯湯量）を増大させることができる。有効熱容量が増大すると、源泉使用量の削減が可能となるので、源泉枯渇の防止に寄与することができる。
【００３７】
冷泉槽１９には、高温源泉群から供給された６０℃以上の温泉水を貯留し、ヒートポンプ３の吸熱によって冷却することとした。６０℃以上の温泉水は、既にレジオネラ属菌が殺菌されているので、改めて加熱する必要がなく、そのまま冷却して冷泉水を作ることができる。また、ヒートポンプ３の吸熱によって冷却することとしているので、貯湯槽１７内の温泉水の加熱と同時に冷却が行われることとなり、冷泉水を作るための冷却設備や工程が別途必要となることはない。
【００３８】
貯湯槽１７にて貯留された高温の温泉水と、冷泉槽１９にて貯留された低温の温泉水とを混合して貯留する配湯槽２１を設け、この配湯槽２１にて所望の温度の温泉水を得ることとした。このように、殺菌済みの有効な温泉水のみを用いて温度調整された温泉水を得ることができるので、温泉水ではない水道水等を用いて温度調整する場合に比べて、格段に泉質が向上する。
【符号の説明】
【００３９】
１  温泉水殺菌装置
３  ヒートポンプ
１０  温泉水供給システム
１７  貯湯槽
１９  冷泉槽
２１  配湯槽
【図１】
0005687036.tif 000002
【図２】
0005687036.tif 000003